(57)【要約】  【課題】  気流吹出装置への装着が容易であり、且つ結露の発生を抑制することのできる吹出気流ガイドおよびこれを備えた気流吹出装置を提供する。  【解決手段】  供給される気流を所定の吹出し方向に吹き出すための気流吹出部を有する気流吹出装置に装着される吹出気流ガイドであって、前記気流吹出部に装着された状態において、前記気流吹出部から吹き出される気流の一部を分岐気流として分岐させる気流分岐部と、前記気流分岐部により分岐された分岐気流を略反転させて、前記気流吹出部における前記所定の吹出し方向に流れる気流と面していない側の表面の少なくとも一部を覆うように導く気流変向部とを備えてなる。  【選択図】  図２
2006226548.tif 000002
【特許請求の範囲】
【請求項１】
供給される気流を所定の吹出し方向に吹き出すための気流吹出部を有する気流吹出装置に装着される吹出気流ガイドであって、
前記気流吹出部に装着された状態において、前記気流吹出部から吹き出される気流の一部を分岐気流として分岐させる気流分岐部と、
前記気流分岐部により分岐された分岐気流を略反転させて、前記気流吹出部における前記所定の吹出し方向に流れる気流と面していない側の表面の少なくとも一部を覆うように導く気流変向部と
を備えてなる吹出気流ガイド。
【請求項２】
請求項１に記載の吹出気流ガイドにおいて、
前記気流変向部は、前記気流分岐部の前記所定の吹出し方向における下流側端部から延び出すように設けられている吹出気流ガイド。
【請求項３】
請求項１または請求項２に記載の吹出気流ガイドにおいて、
前記気流吹出部は、その少なくとも一部が略筒状に形成されており、
該吹出気流ガイドは、前記気流分岐部が前記気流吹出部における略筒状部分に挿入されることにより前記気流吹出装置に装着されるものであり、
前記気流吹出部に装着された状態において、前記気流分岐部の前記気流吹出部における略筒状部分の内面と対向する複数箇所に設けられ、前記気流吹出部における略筒状部分の内面を所定の押し付け力で押圧する装着部を有する吹出気流ガイド。
【請求項４】
請求項１または請求項２に記載の吹出気流ガイドにおいて、
前記気流吹出部は、その少なくとも一部が略筒状に形成されており、
該吹出気流ガイドは、前記気流分岐部が前記気流吹出部における略筒状部分に挿入されることにより前記気流吹出装置に装着されるものであり、
前記気流吹出部に装着された状態において、前記気流分岐部の前記気流吹出部における略筒状部分の内面と対向する複数箇所に設けられ、前記気流吹出部における略筒状部分に対してねじ留めされる装着部を有する吹出気流ガイド。
【請求項５】
請求項１乃至請求項４のいずれかに記載の吹出気流ガイドにおいて、
前記気流分岐部により分岐された分岐気流を２層状に略反転させるように、前記気流変向部における前記分岐気流と面する側の表面に対して間隔をおいて設けられる追加の気流変向部を有する吹出気流ガイド。
【請求項６】
請求項１乃至請求項５のいずれかに記載の吹出気流ガイドにおいて、
該吹出気流ガイドは、前記気流吹出部よりも熱伝導率の低い素材により形成されている吹出気流ガイド。
【請求項７】
請求項１乃至請求項５のいずれかに記載の吹出気流ガイドにおいて、
該吹出気流ガイドの少なくとも一部の表面には、前記気流吹出部よりも熱伝導率の低い素材が貼付され、あるいは、塗布されている吹出気流ガイド。
【請求項８】
供給される気流を所定の吹出し方向に吹き出すための気流吹出部と、
請求項１乃至請求項６のいずれかに記載の吹出気流ガイドと
を備えてなる気流吹出装置。
【請求項９】
請求項８に記載の気流吹出装置において、
前記気流吹出部における気流が供給される側の少なくとも一部は略球面状に形成されており、
前記気流吹出部における略球面状の部分を一定の範囲内で回動自在に保持する球面保持部を有する気流吹出装置。
【発明の詳細な説明】
【技術分野】
【０００１】
本発明は、吹出気流ガイドおよびこれを備えた気流吹出装置に関する。
【背景技術】
【０００２】
従来、空調などに用いられるこの種の気流吹出装置の形式には、輻流吹出型と軸流吹出型とがある。軸流吹出型にあっては、ノズル形式のものやパンカールーバー形式のものなどが広く使用されている。これらの形式のうち、例えば、パンカールーバー形式のものは、一般的に、中空な球形の対向する２箇所が平行平面で切り取られたような形をした球殻部と、切り取られた２箇所のうちの一方に接続された円筒状の気流吹出筒状部と、球殻部を回動自在に保持するとともにダクトへの取り付けを可能にする球面保持部とを有する（例えば、図１３参照）。
【０００３】
上述の気流吹出装置が球面受座部を用いてダクトに取り付けられた場合、ダクトからの調和空気は、気流吹出筒状部が取り付けられていない球殻部の切り取られた箇所から球殻部内に送り込まれ、気流吹出筒状部から吹き出される。調和空気の吹き出し方向は、球殻部が球面保持部の中で回動自在に保持されているので、容易に変更できる。しかし、冷房を行おうとする場合、球殻部や気流吹出筒状部は調和空気で冷やされるので、室内の暖気や湿度は、球殻部や気流吹出筒状部の外表面に結露を発生させてしまい好ましくない。
【０００４】
そこで、冷房を行おうとする場合、室内の暖気や湿度により球殻部や気流吹出筒状部に結露を発生させないようにする技術が追求されている。その典型的な例が、例えば、下記の文献１，２に開示されている。文献１（実公平３−５０３４５号公報）においては、図１３に示されるように、球面保持部１３０のダクト１４０との取り付け部のボルト１３３に穴を開け、調和空気が球殻部１２１や気流吹出筒状部１２２の外表面を覆うように流させ、室内の暖気が球殻部１２１や気流吹出筒状部１２２に直接接触しないようにすることにより、球殻部や気流吹出筒状部の外表面に結露が発生しないようにしている。文献２（実開平６−２０４７号公報）においては、図１４に示すように、調和空気が球殻部２２１と気流吹出筒状部２２２とからなる気流吹出部２２０に直接触れないように、断熱筒体１５０を使用している。
【実用新案文献１】
【０００５】
実公平３−５０３４５号公報  （第１―２頁、第２図）
【実用新案文献２】
【０００６】
実開平６−２０４７号公報  （第４頁、第１図）
【発明の開示】
【発明が解決しようとする課題】
【０００７】
しかし、上述の第１の例の場合、ボルトの個数やそれに開ける穴の大きさに制限があったり、サイズを小型にできなかったり、ボルトからの調和空気が拡散しないように拡気防止用カバーを配置する必要があり、さらには、気流吹出筒状部からの吹出方向の向きを変えたりすると、球殻部や気流吹出筒状部の外表面を流れる調和空気が片寄り不均一になり、結露を防止できなくなる箇所が生じる恐れがある。第２の例の場合、断熱筒体を気流吹出部の中に装着するのが容易でなく、特に、既設の気流吹出装置に装着するのが容易でないという問題がある。
【０００８】
本発明は上述した問題点を解決するためになされたものであり、気流吹出装置への装着が容易であり、且つ結露の発生を抑制することのできる吹出気流ガイドおよびこれを備えた気流吹出装置を提供することを目的とする。
【課題を解決するための手段】
【０００９】
本発明に係る吹出気流ガイドは、供給される気流を所定の吹出し方向に吹き出すための気流吹出部を有する気流吹出装置に装着される吹出気流ガイドであって、前記気流吹出部に装着された状態において、前記気流吹出部から吹き出される気流の一部を分岐気流として分岐させる気流分岐部と、前記気流分岐部により分岐された分岐気流を略反転させて、前記気流吹出部における前記所定の吹出し方向に流れる気流と面していない側の表面の少なくとも一部を覆うように導く気流変向部とを備えてなる構成となっている。
【００１０】
このような構成によれば、気流吹出装置に対して容易に装着することができ、且つ分岐気流によって気流吹出部の少なくとも一部をエアーカーテンのように覆うことにより、気流吹出部表面における温度差による結露の発生を抑制することができる。
【００１１】
上述のような構成の吹出気流ガイドにおいて、前記気流変向部は、前記気流分岐部の前記所定の吹出し方向における下流側端部から延び出すように設けられていることが好ましい。
【００１２】
上述のような構成の吹出気流ガイドにおいて、前記気流吹出部は、その少なくとも一部が略筒状に形成されており、該吹出気流ガイドは、前記気流分岐部が前記気流吹出部における略筒状部分に挿入されることにより前記気流吹出装置に装着されるものであり、前記気流吹出部に装着された状態において、前記気流分岐部の前記気流吹出部における略筒状部分の内面と対向する複数箇所に設けられ、前記気流吹出部における略筒状部分の内面を所定の押し付け力で押圧する装着部を有する構成とすることができる。すなわち、前記装着部は、気流分岐部の外表面の複数箇所から延び出すように形成され、気流分岐部が前記略筒状部分に挿入されると、その抜去には相当の抵抗力を生じるような寸法（外径）に設定されている。
【００１３】
上述のような構成の吹出気流ガイドにおいて、前記気流吹出部は、その少なくとも一部が略筒状に形成されており、該吹出気流ガイドは、前記気流分岐部が前記気流吹出部における略筒状部分に挿入されることにより前記気流吹出装置に装着されるものであり、前記気流吹出部に装着された状態において、前記気流分岐部の前記気流吹出部における略筒状部分の内面と対向する複数箇所に設けられ、前記気流吹出部における略筒状部分に対してねじ留めされる装着部を有する構成となっている。また、前記装着部は、例えば中空なスペーサおよびねじ留め部材であって、気流分岐部と気流吹出部との間にスペーサを配置し、配置したスペーサを気流分岐部と気流吹出部の間にねじ留め部材で固定可能とする構成とすることもできる。
【００１４】
このように、吹出気流ガイドの気流分岐部を気流吹出部における略筒状部分に対して脱着可能な構成とすることにより、吹出気流ガイドが装着されていない既設の気流吹出装置に対しても当該吹出気流ガイドを容易に追加装着することができる。
【００１５】
また、上述のような構成の吹出気流ガイドにおいて、前記気流分岐部により分岐された分岐気流を２層状に略反転させるように、前記気流変向部における前記分岐気流と面する側の表面に対して間隔をおいて設けられる追加の気流変向部を有する構成とすることもできる。
【００１６】
また、上述のような構成の吹出気流ガイドにおいて、該吹出気流ガイドは、前記気流吹出部よりも熱伝導率の低い素材により形成されていることが好ましい。もちろん、これに限られるものではなく、該吹出気流ガイドの少なくとも一部の表面に、前記気流吹出部よりも熱伝導率の低い素材が貼付され、あるいは、塗布されている構成とすることもできる。このようにすることにより、吹出気流ガイド自身も結露しにくい構造とすることができる。
【００１７】
また、本発明に係る気流吹出装置は、供給される気流を所定の吹出し方向に吹き出すための気流吹出部と、上述のような構成の吹出気流ガイドとを備えてなる構成とすることができる。
【００１８】
また、上述のような構成の気流吹出装置において、前記気流吹出部における気流が供給される側の少なくとも一部は略球面状に形成されており、前記気流吹出部における略球面状の部分を一定の範囲内で回動自在に保持する球面保持部を有する構成とすることが望ましい。このように、気流の吹出し方向を変更可能な構成の気流吹出装置においても、吹出気流ガイドが気流吹出部とともに傾くため、常時分岐気流が気流吹出部の少なくとも一部を覆うようにすることができる。
【発明の効果】
【００１９】
以上に詳述したように本発明によれば、吹出気流ガイドの気流分岐部は、気流吹出部から吹き出される気流の一部分を分岐気流として分岐させ、気流変向部は、気流分岐部が分岐させた分岐気流の流れを略反転させ、当該反転させた分岐気流を気流吹出部の外表面の少なくとも一部を覆うように流すことができる。また、気流変向部は、気流分岐部の一端から延び出しているので、気流吹出部の吹出方向が変更されても気流吹出部に対する反転気流を同じ状態に保つことができるため、気流吹出部の姿勢に拘わらず、結露の発生を抑制することができる。また、吹出気流ガイドの気流分岐部は装着部を介して気流吹出筒状部に対して脱着可能にされているため、吹出気流ガイドが装着されていない既設の気流吹出装置に対しても当該吹出気流ガイドを容易に追加装着することができる。
【発明を実施するための最良の形態】
【００２０】
以下、本発明の実施の形態について図面を参照しつつ説明する。
【００２１】
（第１の実施の形態）
まず、本発明の第１の実施の形態について説明する。図１は、この発明の気流吹出装置の第１の実施の形態を示す外観図、図２は、図１の断面図、図３は、図１の気流吹出部の構造を説明するための断面図、図４は、図１の吹出気流ガイドを示す正面図、図５は、図４の裏面図、図６は、図４および図５で示される吹出気流ガイドをラインＡ−Ａから見た断面図、図７は、図４および図５で示される吹出気流ガイドをラインＢ−Ｂから見た断面図、図８は、吹出気流ガイド１０の気流吹出筒状部２２への装着方法の詳細を示すための分解斜視図である。
【００２２】
図１および図２で示される気流吹出装置１は、吹出気流ガイド１０と、気流吹出部２０と、球面保持部３０とを有する。調和空気供給源からダクトなどを経由して送られてくる調和空気（供給される気流）ＭＡ（例えば、冷房用の空気）は、調和空気供給口２４に供給され、気流吹出部２０および吹出気流ガイド１０を通り、主に主気流ＭＢとしてまっすぐ室内に（所定の吹出し方向に）吹き出されるとともに、供給された調和空気ＭＡの一部分は、吹出気流ガイド１０によって主気流ＭＢとは別に分岐されて反転気流（分岐気流）ＭＣとされ、調和空気供給源の方向に、すなわち、調和空気ＭＡおよび主気流ＭＢの向きとは略反対の向きに、気流吹出部２０の外表面の全体または一部を覆うように吹き出され、気流吹出部２０の外表面における結露を防止する。
【００２３】
気流吹出部２０は、この例では金属からなり、図３に示すように、球殻部２１と気流吹出筒状部２２とを有する。球殻部２１は、中空な球形の対向する２箇所が平行平面で切り取られた形状（略球面状）をしており、気流吹出筒状部２２は、球殻部２１の切り取られた一方の箇所から円筒状（略筒状）に延びた形状をしている。したがって、球殻部２１の切り取られた他方の箇所である調和空気供給口２４から調和空気が供給されると、調和空気は球殻部２１と気流吹出筒状部２２を通って気流吹出口２３より吹き出される。
【００２４】
吹出気流ガイド１０は、図２，図４，図５，図６および図７に示されるように、気流分岐部１１と、気流変向部１２と、装着部１３と有している。この例では、気流分岐部１１と、気流変向部１２と、装着部１３とは、プラスチック材から一体成形されているものとする。気流分岐部１１は、円筒状をしており、その外径が図３の気流吹出筒状部２２の内径よりも小さく設定されている。気流分岐部１１は、気流吹出部２０から吹き出される気流の一部を分岐気流として分岐させる役割を有している。
【００２５】
気流変向部１２は、気流分岐部１１の所定の吹出し方向における下流側端部から周方向外側に延び出すとともに、気流分岐部１１の他端側に向けて傘状に折り返されて延びている。
【００２６】
気流変向部１２は、気流分岐部１１により分岐された分岐気流を略反転させて、気流吹出部２０における所定の吹出し方向に流れる気流と面していない側の表面の少なくとも一部を覆うように導く役割を有している。
【００２７】
吹出気流ガイド１０は、気流分岐部１１が気流吹出部２０における気流吹出筒状部２２に挿入されることにより気流吹出装置に対して装着される。気流分岐部の気流吹出筒状部２２の内面と対向する複数箇所には、気流吹出筒状部２２の内面を所定の押し付け力で押圧するための装着部１３が設けられている。装着部１３は、この例では９０度毎に配置された４枚のプレートであって、プレート面が気流分岐部１１の外周面に直角になるように形成されている。
【００２８】
具体的に、上述の吹出気流ガイド１０が気流吹出筒状部２２に装着される場合、装着部１３の嵌合部１３ａ（図５，図７および図８参照）は、気流吹出筒状部２２の内壁に当接した状態で圧入される。この圧入力により、気流分岐部１１および気流吹出筒状部２２が若干の変形をして弾性力を嵌合部１３ａに及ぼすことにより、気流吹出筒状部２２は吹出気流ガイド１０を保持する。この場合、適切な引っ張り力を吹出気流ガイド１０に加えれば、吹出気流ガイド１０を気流吹出筒状部２２（ここでは、内径Ｒとする）から抜き取ることができるように、嵌合部１３ａの幅Ｗ（図７）の大きさを設定している。
【００２９】
したがって、吹出気流ガイド１０の取り付け取り外しは非常に容易であるとともに、吹出気流ガイド１０が装着されていない同じ型式の既設の気流吹出装置への追加の装着も容易である。さらに、上述の例の場合、嵌合部１３ａの幅Ｗは、分岐気流の通路、即ち分岐気流の流量を画定することとなる。また、吹出気流ガイド１０を気流吹出筒状部２２に設定どおりに圧入した場合、気流吹出口２３の端末２３ａ（図３）は、装着部１３の当接部１３ｂに当接し、圧入できる深さ方向の距離を決めている。
また、上述の例では、吹出気流ガイドはプラスチック材から一体成形されているものものとしたが、金属で形成されていてもかまわない。この場合、吹出気流ガイドに一体化した装着部１３を設けないで、代わりに嵌合部１３ａの幅Ｗと同じ程度の長さの円筒形のスペーサを用意し、そのスペーサを吹出気流ガイド１０と気流吹出筒状部２２との間に配置してナットと、スペーサを通るボルトとで固定してもよい。もちろんこの場合、ナットの代わりに吹出気流ガイド側に穴を、気流吹出筒状部側にタップを設けてボルトで固定してもよいことはいうまでもない。その他の方法でも、上記の２例と同様に、吹出気流ガイド１０を気流吹出筒状部２２の規定の位置に取り外し可能に取り付けられるものであればかまわない。このように、気流分岐部１１における気流吹出筒状部２２の内面と対向する複数箇所に設けられ、気流吹出筒状部２２に対してねじ留めされる部分（装着部に相当）を設ける構成とすることもできる。
【００３０】
球面保持部３０は、図１ないし図３に示されるように、球面受座部３１とダクト連結部３２とを有する。球面受座部３１は、気流吹出部２０の球殻部２１を一定の範囲内で回動可能に保持している。したがって、主気流ＭＢの吹出方向は、球殻部２１が球面保持部３０の中で回動可能な範囲内で変更可能である。その場合、吹出気流ガイド１０は、気流吹出口２３に固定されているので、主気流ＭＢの吹出方向が変更されても反転気流ＭＣの気流吹出部２０の外表面に吹き出す状態はあまり変化せず、結露を安定かつ良好に防止できる。さらに、ダクト連結部３２は、ダクトあるいは調和空気供給路との連結だけ行えばよいので小型に維持することができる。
【００３１】
（第２の実施の形態）
次に、気流吹出装置の第２の実施の形態について図９ないし図１２を参照して説明する。図９ないし図１２で示される気流吹出装置２は、吹出気流ガイド６０と、気流吹出部７０と、球面保持部８０とを有する。供給されてくる調和空気（気流）ＮＡは、調和空気供給口７４に供給され、気流吹出部７０および吹出気流ガイド６０を通り、主気流ＮＢとして主にまっすぐ室内に吹き出されるとともに、供給された調和空気ＮＡの一部分は、吹出気流ガイド６０によって主気流ＮＢとは別の反転気流ＮＣ，ＮＤとされ、調和空気供給源の方向に、すなわち、調和空気ＮＡ，ＮＢの向きとは逆の向きに、２層の反転気流ＮＣ，ＮＤが気流吹出部７０の外表面を覆うように吹き出される。
【００３２】
上述したように、図９ないし図１２で示される気流吹出装置２が図１ないし図８で示される気流吹出装置１と異なるのは、吹出気流ガイド６０の部分である。吹出気流ガイド６０は、気流分岐部６１と、第１の気流変向部６２と、第２の気流変向部６３と、装着部６４’とを有している。すなわち、本実施の形態による吹出気流ガイド６０は、気流分岐部６１により分岐された分岐気流を２層状に略反転させるように、第１の気流変向部６２における分岐気流と面する側の表面に対して間隔をおいて設けられる第２の気流変向部６３（追加の気流変向部）を有する構成となっている。また、装着部６４’の構造は図１ないし図８の場合と同様な構成とすることができるが、第１の気流変向部６２と第２の気流変向部６３との位置関係を安定的なものとするために、吹出気流ガイド６０の気流吹出筒状部７２への挿入方向に延びる２枚の平行な板状部材により構成することもできる。
【００３３】
このようにすることで、図１２に示すように、第２の気流変向部６３に被保持部６３ａを設け、吹出気流ガイド６０の気流吹出筒状部７２への装着時に、被保持部６３ａを装着部６４’で挟み込み、より確実に第２の気流変向部６３を保持することが可能となる。
【００３４】
この場合、反転気流が反転気流ＮＣ，ＮＤのように２層になっているので、温度変化がなだらかになり、気流吹出部７０の表面における結露の発生もより少なくなる。
【００３５】
上述の第１の実施の形態と同様に、吹出気流ガイド６０が気流吹出筒状部７２に装着される場合、装着部６４の嵌合部６４ａ（図１１および図１２参照）は、気流吹出筒状部７２の内壁に当接した状態で圧入される。この圧入力により、気流分岐部６１および気流吹出筒状部７２が若干の変形をして弾性力を嵌合部６４ａに及ぼすことにより、気流吹出筒状部７２は吹出気流ガイド６０を保持する。
【００３６】
この場合、適切な引っ張り力を吹出気流ガイド６０に加えれば、吹出気流ガイド６０を気流吹出筒状部７２（ここでは、内径Ｒ’とする）から抜き取ることができるように、嵌合部６４ａの幅Ｗ’（図１２）の大きさを決めている。
【００３７】
なお、上述の各実施の形態において、吹出気流ガイド１０，６０は、結露の発生の防止のために、気流吹出部２０，７０よりも熱伝導率の低い素材により形成されていることが好ましい。また、吹出気流ガイド１０，６０が金属で作られている場合、結露の発生の防止のために、気流吹出部２０，７０よりも熱伝導率の低い素材が貼付されているのが好ましい。貼付の代わりに熱伝導率の低い素材が塗布されていてもよい。なお、この発明は、上述の各実施の形態に限定されるものではなく、実施の段階では、発明の要旨を逸脱しない範囲で種々に変形することが可能であり、各実施の形態は可能な限り適宜に組み合わせて実施することによりそれぞれの効果を得ることも可能である。
【図面の簡単な説明】
【００３８】
【図１】この発明の気流吹出装置の第１の実施の形態を示す外観図である。
【図２】図１の断面図である。
【図３】図１の気流吹出部の構造を説明するための断面図である。
【図４】図１の吹出気流ガイドを示す正面図である。
【図５】図４の裏面図である。
【図６】図４および図５で示される吹出気流ガイドをラインＡ−Ａから見た断面図である。
【図７】図４および図５で示される吹出気流ガイドをラインＢ−Ｂから見た断面図である。
【図８】吹出気流ガイド１０の気流吹出筒状部２２への装着方法の詳細を示すための分解斜視図である。
【図９】この発明の気流吹出装置の第２の実施の形態を示す外観図である。
【図１０】装着部を通らないラインから見た図９の気流吹出装置の断面図である。
【図１１】装着部を通るラインから見た図９の気流吹出装置の断面図である。
【図１２】吹出気流ガイド６０の気流吹出筒状部７２への装着方法の詳細を示すための分解斜視図である。
【図１３】気流吹出装置の第１の従来例を示す断面図である
【図１４】気流吹出装置の第２の従来例を示す断面図である
【符号の説明】
【００３９】
１，２  気流吹出装置、１０，６０  吹出気流ガイド、１１，６１  気流分岐部、１２  気流変向部、１３  装着部、１３ａ  嵌合部、２０，７０  気流吹出部、２１  球殻部、２２  気流吹出筒状部、２３  気流吹出口、２３ａ  端末、２４  調和空気供給口、３０，８０  球面保持部、３１，８１球面受座部、３２，８２  ダクト連結部、６２  第１の気流変向部、６３  第２の気流変向部
【図１】
2006226548.tif 000003
【図２】
2006226548.tif 000004
【図３】
2006226548.tif 000005
【図４】
2006226548.tif 000006
【図５】
2006226548.tif 000007
【図６】
2006226548.tif 000008
【図７】
2006226548.tif 000009
【図８】
2006226548.tif 000010
【図９】
2006226548.tif 000011
【図１０】
2006226548.tif 000012
【図１１】
2006226548.tif 000013
【図１２】
2006226548.tif 000014
【図１３】
2006226548.tif 000015
【図１４】
2006226548.tif 000016